(57)【要約】      （修正有）【課題】空調用フィン金型縦切り切断装置を提供する。【解決手段】固定台板１０９が含まれ、その上部には縦方向に主動軸部分及び従動軸部分が平行に装着され、主動軸部分の主動軸１０６上には切刃及びスペーサーが装着され、且つその両端それぞれに主動軸固定ブロック１１０が装着されており、従動軸部分の従動軸２０１上にも同様に切刃及びスペーサーが装着され、且つその両端それぞれに従動軸固定ブロック２０２が装着されており、主動軸固定ブロック１１０及び従動軸固定ブロック２０２の両側の位置には締め具によって側板１１１が装着され、２枚の側板１１１の頂部には上端板２０３が装着される；主動軸部分と従動軸部分との間の位置には支持板３０１が装着され、支持板３０１は支柱３０２によって固定台板１０９上に固定される。フィン製品の外観を改善し、フィンの不良率を低減させて、フィンの生産効率を向上させることができる。【選択図】図１
0003220166.tif 000002
【実用新案登録請求の範囲】
【請求項１】
空調用フィン金型縦切り切断装置であって、それには固定台板（１０９）が含まれ、前記固定台板（１０９）の上部には縦方向に主動軸部分及び従動軸部分が平行に装着され、主動軸部分及び従動軸部分には同じ構造が用いられており；主動軸部分の主動軸（１０６）上には切刃（１０２）及びスペーサー（１０１）が装着され、且つその両端それぞれに主動軸固定ブロック（１１０）が装着されており、従動軸部分の従動軸（２０１）上にも同様に切刃（１０２）及びスペーサー（１０１）が装着され、且つその両端それぞれに従動軸固定ブロック（２０２）が装着されており、主動軸固定ブロック（１１０）及び従動軸固定ブロック（２０２）の両側の位置には締め具によって側板（１１１）が装着され、２枚の側板（１１１）の頂部には上端板（２０３）が装着され、上端板（２０３）の中央部分には２つの調節ねじ（５０３）が設けられており；前記主動軸固定ブロック（１１０）及び従動軸固定ブロック（２０２）上のどちらにもばね穴が分布しており、主動軸固定ブロック（１１０）と従動軸固定ブロック（２０２）との間の位置にはスペーサープレート（１０８）が装着され；主動軸部分と従動軸部分との間の位置には支持板（３０１）が装着され、前記支持板（３０１）は支柱（３０２）によって固定台板（１０９）上に固定されることを特徴とする、空調用フィン金型縦切り切断装置。
【請求項２】
前記主動軸部分の構造には、主動軸（１０６）が含まれ、前記主動軸（１０６）の両端それぞれには主動軸固定ブロック（１１０）が装着され、前記主動軸（１０６）の両端どちらにも第一軸受（５０１）及び軸受ブラケット（１０７）が固定されており、第一軸受（５０１）及び軸受ブラケット（１０７）は主動軸固定ブロック（１１０）のカウンターボア内に固定され、カウンターボア底部と軸受の外側は密着しており、主動軸固定ブロック（１１０）は固定台板（１０９）上にピン及びねじで締結され、主動軸（１０６）上にはスペーサー（１０１）及び切刃（１０２）が間隔をあけて配列されており、前記主動軸（１０６）の両端は第一ストッパー（１０３）、第二ストッパー（１０４）及びテンションブロック（１０５）によって固定され、第一ストッパー（１０３）、第二ストッパー（１０４）は主動軸（１０６）上に完全に固定されており、テンションブロック（１０５）は可動部材であり、前記テンションブロック（１０５）の表面全ては４つのねじ穴を有しており、前記ねじ穴内には強力な４本の外六角ボルトが螺着され、その頭部が第一ストッパー（１０３）の片側を支持するようになっており、ねじ部分はテンションブロック（１０５）のねじ穴内に螺入されることを特徴とする、請求項１に記載の空調用フィン金型縦切り切断装置。
【請求項３】
前記従動軸部分の構造には、従動軸（２０１）が含まれ、前記従動軸（２０１）の両端それぞれには従動軸固定ブロック（２０２）が装着され、前記従動軸（２０１）の両端どちらにも第一軸受（５０１）及び軸受ブラケット（１０７）が固定されており、第一軸受（５０１）及び軸受ブラケット（１０７）は従動軸固定ブロック（２０２）のカウンターボア内に固定され、カウンターボア底部と軸受の外側は密着しており、従動軸（２０１）上にはスペーサー（１０１）及び切刃（１０２）が間隔をあけて配列されており、前記従動軸（２０１）の両端は第一ストッパー（１０３）、第二ストッパー（１０４）及びテンションブロック（１０５）によって固定され、第一ストッパー（１０３）、第二ストッパー（１０４）は従動軸（２０１）上に完全に固定されており、テンションブロック（１０５）は可動部材であり、前記テンションブロック（１０５）の表面全ては４つのねじ穴を有しており、前記ねじ穴内には強力な４本の外六角ボルトが螺着され、その頭部が第一ストッパー（１０３）の片側を支持するようになっており、ねじ部分はテンションブロック（１０５）のねじ穴内に螺入されることを特徴とする、請求項１に記載の空調用フィン金型縦切り切断装置。
【請求項４】
片側に位置する側板（１１１）及び前記固定台板（１０９）上には歯車板（４０１）が装着され、前記歯車板（４０１）の上下には間隔をあけて２本の歯車軸（４０２）が装着され、前記歯車軸（４０２）上にはそれぞれ第一中間歯車（９１６）及び第二中間歯車（９１７）が装着されており、前記主動軸（１０６）の片側には主動歯車（９１４）がキー（９１５）によって装着され、従動軸（２０１）の片側には従動輪がキー（９１５）によって装着されることを特徴とする、請求項１に記載の空調用フィン金型縦切り切断装置。
【請求項５】
第一中間歯車（９１６）及び第二中間歯車（９１７）はどちらも第二軸受（５０２）によって歯車軸（４０２）上に装着されることを特徴とする、請求項４に記載の空調用フィン金型縦切り切断装置。
【請求項６】
前記切刃（１０２）の構造には、円柱構造体（１１２）が含まれ、前記円柱構造体（１１２）の両端にはテーパ構造の刃（１１３）が対称に装着され、且つ切刃（１０２）の中央部には貫通孔が開けられていることを特徴とする、請求項１に記載の空調用フィン金型縦切り切断装置。
【請求項７】
支持板（３０１）の断面は構造がコ字状を成しており、支持板（３０１）の頂面の位置には長円形孔（３０３）が切刃（１０２）と対応するように間隔をあけて設けられていることを特徴とする、請求項１に記載の空調用フィン金型縦切り切断装置。
【請求項８】
請求項１に記載の空調用フィン金型縦切り切断装置を用いた切断方法であって、調節ねじ（５０３）を緩めると、ばねの作用下で従動軸部分が上昇し、上下回転刃が分離されるので、材料板を従動軸部分及び主動軸部分の間から通し、作動時には、調節ねじ（５０３）を締めて、従動軸固定ブロック（２０２）とスペーサープレート（１０８）を密着させ、材料送り機構が送りベルトを引いて前進させるときに、上下回転刃どちらにも回転が生じ、回転による剪断力を利用して材料板が切断されることを特徴とする、切断方法。
【考案の詳細な説明】
【技術分野】
【０００１】
本考案は、空調内部のフィン加工設備の技術分野に関するものであり、特に空調用フィン金型縦切り切断装置及びその切断方法に関するものである。
【背景技術】
【０００２】
縦切りはスリットとも呼ばれており、その作用は、上下縦切り刃による剪断を利用して、材料の全幅を顧客が要求するフィン幅に切断するというものである。従来技術における縦切り子金型構造では、上下縦切り刃がすべて垂直刃となっていて、上下垂直に剪断する方法を採用しており、切れ長さが供給する長さを上回っている必要があるため、重複して切断される部分に刃跡が生じてしまうほか、供給を１ステップ送りから２ステップ送りに切り替える時には重複して切断される長さがさらに大きくなり、１・２ステップでバリが発生してしまう。本出願者は上述した従来技術における欠点に対して、空調用フィン金型縦切り切断装置及びその切断方法を提供し、空調用フィン金型の縦切り切断方法に対する変革を行うべく、回転刃構造による縦切りを提案且つ設計するが、それは上下円形の縦切り刃が回転剪断することで、縦切りの刃跡及びステップ切り替え時のバリ発生を完全に無くすことができるというものである。
【考案の概要】
【考案が解決しようとする課題】
【０００３】
従来の切断方法では、剪断長さが刃跡やステップ切り替え時のバリに大きな影響を及ぼすが、実際の操作において剪断長さを適切な長さに調節することは難しく、刃跡やステップ切り替え時のバリを無くすことは困難である。さらに、刃跡やステップ切り替え時のバリの存在はフィンの外観に影響するだけでなく、フィンの生産効率により重大な影響を及ぼし、労力や時間の浪費を招いてしまう。
【課題を解決するための手段】
【０００４】
本考案が採用する技術方案は以下の通りである。
【０００５】
空調用フィン金型縦切り切断装置であって、それには固定台板が含まれ、前記固定台板の上部には縦方向に主動軸部分及び従動軸部分が平行に装着され、主動軸部分及び従動軸部分には同じ構造が用いられている。主動軸部分の主動軸上には切刃及びスペーサーが装着され、且つその両端それぞれに主動軸固定ブロックが装着されており、従動軸部分の従動軸上にも同様に切刃及びスペーサーが装着され、且つその両端それぞれに従動軸固定ブロックが装着されており、主動軸固定ブロック及び従動軸固定ブロックの両側の位置には締め具によって側板が装着され、２枚の側板の頂部には上端板が装着され、上端板の中央部分には２つの調節ねじが設けられている。前記主動軸固定ブロック及び従動軸固定ブロック上のどちらにもばね穴が分布しており、主動軸固定ブロックと従動軸固定ブロックとの間の位置にはスペーサープレートが装着される。主動軸部分と従動軸部分との間の位置には支持板が装着され、前記支持板は支柱によって固定台板上に固定される。
【０００６】
上述の技術方案のさらなる改善として。
【０００７】
前記主動軸部分の構造には、主動軸が含まれ、前記主動軸の両端それぞれには主動軸固定ブロックが装着され、前記主動軸の両端どちらにも第一軸受及び軸受ブラケットが固定されており、第一軸受及び軸受ブラケットは主動軸固定ブロックのカウンターボア内に固定され、カウンターボア底部と軸受の外側は密着しており、主動軸固定ブロックは固定台板上にピン及びねじで締結され、主動軸上にはスペーサー及び切刃が間隔をあけて配列されており、前記主動軸の両端は第一ストッパー、第二ストッパー及びテンションブロックによって固定され、第一ストッパー、第二ストッパーは主動軸上に完全に固定されており、テンションブロックは可動部材であり、前記テンションブロックの表面全ては４つのねじ穴を有しており、前記ねじ穴内には強力な４本の外六角ボルトが螺着され、その頭部が第一ストッパーの片側を支持するようになっており、ねじ部分はテンションブロックのねじ穴内に螺入される。
【０００８】
前記従動軸部分の構造には、従動軸が含まれ、前記従動軸の両端それぞれには従動軸固定ブロックが装着され、前記従動軸の両端どちらにも第一軸受及び軸受ブラケットが固定されており、第一軸受及び軸受ブラケットは従動軸固定ブロックのカウンターボア内に固定され、カウンターボア底部と軸受の外側は密着しており、従動軸上にはスペーサー及び切刃が間隔をあけて配列されており、前記従動軸の両端は第一ストッパー、第二ストッパー及びテンションブロックによって固定され、第一ストッパー、第二ストッパーは従動軸上に完全に固定されており、テンションブロックは可動部材であり、前記テンションブロックの表面全ては４つのねじ穴を有しており、前記ねじ穴内には強力な４本の外六角ボルトが螺着され、その頭部が第一ストッパーの片側を支持するようになっており、ねじ部分はテンションブロックのねじ穴内に螺入される。
【０００９】
片側に位置する側板及び固定台板上には歯車板が装着され、前記歯車板の上下には間隔をあけて２本の歯車軸が装着され、前記歯車軸上にはそれぞれ第一中間歯車及び第二中間歯車が装着されており、前記主動軸の片側には主動歯車がキーによって装着され、従動軸の片側には従動輪がキーによって装着される。
【００１０】
第一中間歯車及び第二中間歯車はどちらも第二軸受によって歯車軸上に装着される。
【００１１】
前記切刃の構造には、円柱構造体が含まれ、前記円柱構造体の両端にはテーパ構造の刃が対称に装着され、且つ切刃の中央部には貫通孔が開けられている。
【００１２】
支持板の断面は構造がコ字状を成しており、支持板の頂面の位置には長円形孔が切刃と対応するように間隔をあけて設けられている。
【００１３】
空調用フィン金型縦切り切断装置の切断方法であって、調節ねじを緩めると、ばねの作用下で従動軸部分が上昇し、上下回転刃が分離されるので、材料板を従動軸部分及び主動軸部分の間から通し、作動時には、調節ねじを締めて、従動軸固定ブロックとスペーサープレートを密着させ、材料送り機構が送りベルトを引いて前進させるときに、上下回転刃どちらにも回転が生じ、回転による剪断力を利用して材料板が切断される。
【考案の効果】
【００１４】
本考案の効果は以下の通りである。
【００１５】
本考案は、コンパクトで合理的な構造になっており、回転剪断の方法を用いて材料板を切断することで剪断長さと送り長さが一致し、従来技術における刃跡及びステップ切り替え時のバリを完全に無くすことが可能であり、フィン製品の外観を改善し、フィンの不良率を低減させて、フィンの生産効率を向上させることができる。
【００１６】
本考案は空調フィン金型の縦切り切断方法に対して変革を行い、従来では上下縦切り刃による垂直切断が採用されていたが、現在は上下円形縦切り刃による回転剪断の方法が採用されている。
【図面の簡単な説明】
【００１７】
【図１】本考案の構造概略図である。
【図２】本考案を別の角度から見た構造概略図である。
【図３】本考案の正面図である。
【図４】本考案の主動軸部分の平面図である。
【図５】本考案の主動軸部分の構造概略図である。
【図６】本考案の従動軸部分の構造概略図である。
【図７】本考案の歯車ユニットの構造概略図である。
【図８】本考案の回転刃の正面図である。
【図９】本考案の支持板の構造概略図である。
【考案を実施するための形態】
【００１８】
以下、本考案の実施の形態を図に基づいて説明する。
【００１９】
（実施例）
図１、図２及び図３が示すように、本考案の空調用フィン金型縦切り切断装置には、固定台板１０９が含まれ、固定台板１０９の上部には縦方向に主動軸部分及び従動軸部分が平行に装着され、主動軸部分及び従動軸部分には同じ構造が用いられている。主動軸部分の主動軸１０６上には切刃１０２及びスペーサー１０１が装着され、且つその両端それぞれに主動軸固定ブロック１１０が装着されており、従動軸部分の従動軸２０１上にも同様に切刃１０２及びスペーサー１０１が装着され、且つその両端それぞれに従動軸固定ブロック２０２が装着されており、主動軸固定ブロック１１０及び従動軸固定ブロック２０２の両側の位置には締め具によって側板１１１が装着され、２枚の側板１１１の頂部には上端板２０３が装着され、上端板２０３の中央部分には２つの調節ねじ５０３が設けられている。主動軸固定ブロック１１０及び従動軸固定ブロック２０２上のどちらにもばね穴が分布しており、主動軸固定ブロック１１０と従動軸固定ブロック２０２との間の位置にはスペーサープレート１０８が装着される。主動軸部分と従動軸部分との間の位置には支持板３０１が装着され、支持板３０１は支柱３０２によって固定台板１０９上に固定される。
【００２０】
図４及び図５が示すように、主動軸部分の構造には、主動軸１０６が含まれ、主動軸１０６の両端それぞれには主動軸固定ブロック１１０が装着され、主動軸１０６の両端どちらにも第一軸受５０１及び軸受ブラケット１０７が固定されており、第一軸受５０１及び軸受ブラケット１０７は主動軸固定ブロック１１０のカウンターボア内に固定され、カウンターボア底部と軸受の外側は密着しており、主動軸１０６が左右へ移動することが防止される。主動軸固定ブロック１１０は固定台板１０９上にピン及びねじで締結され、主動軸１０６上にはスペーサー１０１及び切刃１０２が間隔をあけて配列されており、主動軸１０６の両端は第一ストッパー１０３、第二ストッパー１０４及びテンションブロック１０５によって固定され、第一ストッパー１０３、第二ストッパー１０４は主動軸１０６上に完全に固定されており、テンションブロック１０５は可動部材であり、テンションブロック１０５の表面全ては４つのねじ穴を有しており、ねじ穴内には強力な４本の外六角ボルトが螺着され、その頭部が第一ストッパー１０３の片側を支持するようになっており、ねじ部分はテンションブロック１０５のねじ穴内に螺入される。ボルトを回転させることでテンションブロック１０５を水平方向に微調整し、間隔をあけて配列された切刃１０２及びスペーサー１０１を圧着させることができる。
【００２１】
図６が示すように、従動軸部分の構造には、従動軸２０１が含まれ、従動軸２０１の両端それぞれには従動軸固定ブロック２０２が装着され、従動軸２０１の両端どちらにも第一軸受５０１及び軸受ブラケット１０７が固定されており、第一軸受５０１及び軸受ブラケット１０７は従動軸固定ブロック２０２のカウンターボア内に固定され、カウンターボア底部と軸受の外側は密着しており、従動軸２０１上にはスペーサー１０１及び切刃１０２が間隔をあけて配列されており、従動軸２０１の両端は第一ストッパー１０３、第二ストッパー１０４及びテンションブロック１０５によって固定され、第一ストッパー１０３、第二ストッパー１０４は従動軸２０１上に完全に固定されており、テンションブロック１０５は可動部材であり、テンションブロック１０５の表面全ては４つのねじ穴を有しており、ねじ穴内には強力な４本の外六角ボルトが螺着され、その頭部が第一ストッパー１０３の片側を支持するようになっており、ねじ部分はテンションブロック１０５のねじ穴内に螺入される。
【００２２】
図２が示すように、片側に位置する側板１１１及び固定台板１０９上には歯車板４０１が装着され、歯車板４０１の上下には間隔をあけて２本の歯車軸４０２が装着され、歯車軸４０２上にはそれぞれ第一中間歯車９１６及び第二中間歯車９１７が装着されており、主動軸１０６の片側には主動歯車９１４がキー９１５によって装着され、従動軸２０１の片側には従動輪がキー９１５によって装着される。
【００２３】
歯車部分の側板１１１及び固定台板１０９の側辺にもねじ穴加工が施されて、歯車板４０１の固定に用いられ、歯車板４０１上には２組の歯車ユニットが固定されており、それには歯車軸４０２、第一中間歯車９１６、第二中間歯車９１７及び第二軸受５０２が含まれる。主動歯車９１４はそれぞれ第一中間歯車９１６と互いに接触しており、主動歯車９１４及び従動輪は互いに接触しない。第一中間歯車９１６・第二中間歯車９１７間は互いに接触しなければならない。
【００２４】
図７が示すように、第一中間歯車９１６及び第二中間歯車９１７はどちらも第二軸受５０２によって歯車軸４０２上に装着される。
【００２５】
図８が示すように、切刃１０２の構造としては、円柱構造体１１２が含まれ、円柱構造体１１２の両端にはテーパ構造の刃１１３が対称に装着され、且つ切刃１０２の中央部には貫通孔が開けられている。
【００２６】
図９が示すように、支持板３０１の構造は断面がコ字状を成しており、支持板３０１の頂面の位置には長円形孔３０３が切刃１０２と対応するように間隔をあけて設けられている。
【００２７】
本実施例の空調用フィン金型縦切り切断装置の切断方法では、調節ねじ５０３を緩めると、ばねの作用下で従動軸部分が上昇し、上下回転刃が分離されるので、材料板を従動軸部分及び主動軸部分の間から通し、作動時には、調節ねじ５０３を締めて、従動軸固定ブロック２０２とスペーサープレート１０８とを密着させ、材料送り機構が送りベルトを引いて前進させるときに、上下回転刃どちらにも回転が生じ、回転による剪断力を利用して材料板が切断される。
【００２８】
本考案が述べる回転刃子金型構造は、主に主動軸部分及び従動軸部分の２つの部分に分けることができる。
【００２９】
回転刃子金型全体は固定台板１０９上のピン穴及びねじ穴によって金型の下型板と互いに固定されており、主動軸部分と従動軸部分との間は第一側板１１１によって相対的な位置が保証されており、側板１１１はねじ及びピンによって主動軸固定ブロック１１０の両側に固定されており、同時に従動軸固定ブロック２０２及び主動軸固定ブロック１１０上のどちらにもばね穴が分布しており、従動軸部分は穴内に置かれたばねによって垂直方向に上下運動することができ、側板１１１はガイド作用を果たすことができ、上端板２０３によって従動軸部分の位置を調節することができる。
【００３０】
その原理は以下の通りである。上端板２０３が両側のねじ穴及びピン穴によって両側の側板１１１に固定されて閉じられ、その表面にはＭ８のねじ穴及び皿頭ねじ穴が開けられており、そのねじ穴を通じて、Ｍ８の調節ねじ５０３が従動軸固定ブロック２０２に押し当てられて力が加わり、それによって従動軸部分をその可動範囲内の任意の位置に固定させることができる。従動軸固定ブロック２０２と主動軸固定ブロック１１０との間にはスペーサープレート１０８があり、それは上下回転刃の切込み深さを制御する作用を果たす。主動軸及び従動軸の２つの部分の間には、さらに支持板３０１があり、支柱３０２によって固定台板１０９上に固定され、それは材料を支持する作用を果たす。
【００３１】
本考案の動作原理は以下の通りである。
【００３２】
最初に材料を供給するとき、調節ねじ５０３を緩めると、ばねの作用下で従動軸部分が上昇し、上下回転刃が分離されるので、送りベルトがスムーズに通過できるようになる。作動時には、調節ねじ５０３を締めて、従動軸固定ブロック２０２とスペーサープレート１０８とを密着させ、材料送り装置が送りベルトを引いて前進させるときに、上下回転刃どちらにも回転が生じ、回転による剪断力を利用して材料板が切断されるが、この種の方法は剪断長さが完全に材料の送り長さで決まるため、旧構造における刃跡及びステップ切り替え時のバリを完全に無くすことが可能である。
【００３３】
この種の回転切断構造の動力源は金型のサイズ及び材料送り装置の数量の大小に基づいて２種類に分かれる。１つは、材料送り装置の数量が十分である場合、その動力は完全に材料送り装置によって提供することができるため、歯車板４０１、歯車軸４０２、第二軸受５０２、主動歯車９１４、キー９１５、第一中間歯車９１６及び第二中間歯車９１７の部品を取り付ける必要がない。もう１つは、材料送り装置の数量が少ない場合、材料送り装置だけに頼って引っ張るならフィン孔に変形が生じる恐れがあるため、別に補助モーターを設置する必要があり、モーターの運転状態は材料送りと同期させなければならず、モーターと主動軸１０６を互いに連結し、主動歯車９１４を介して、第一中間歯車９１６及び第二中間歯車９１７が従動軸２０１を連動させて同期運転する。
【符号の説明】
【００３４】
１０１  スペーサー
１０２  切刃
１０３  第一ストッパー
１０４  第二ストッパー
１０５  テンションブロック
１０６  主動軸
１０７  軸受ブラケット
１０８  スペーサープレート
１０９  固定台板
１１０  主動軸固定ブロック
１１１  側板
１１２  円柱構造体
１１３  刃
２０１  従動軸
２０２  従動軸固定ブロック
２０３  上端板
３０１  支持板
３０２  支柱
３０３  長円形孔
４０１  歯車板
４０２  歯車軸
５０１  第一軸受
５０２  第二軸受
５０３  調節ねじ
９１４  主動歯車
９１５  キー
９１６  第一中間歯車
９１７  第二中間歯車
【図１】
0003220166.tif 000003
【図２】
0003220166.tif 000004
【図３】
0003220166.tif 000005
【図４】
0003220166.tif 000006
【図５】
0003220166.tif 000007
【図６】
0003220166.tif 000008
【図７】
0003220166.tif 000009
【図８】
0003220166.tif 000010
【図９】
0003220166.tif 000011
【手続補正書】
【提出日】平成29年5月24日(2017.5.24)
【手続補正１】
【補正対象書類名】明細書
【補正対象項目名】全文
【補正方法】変更
【補正の内容】
【考案の詳細な説明】
【技術分野】
【０００１】
本考案は、空調内部のフィン加工設備の技術分野に関するものであり、特に空調用フィン金型縦切り切断装置に関するものである。
【背景技術】
【０００２】
縦切りはスリットとも呼ばれており、その作用は、上下縦切り刃による剪断を利用して、材料の全幅を顧客が要求するフィン幅に切断するというものである。従来技術における縦切り子金型構造では、上下縦切り刃がすべて垂直刃となっていて、上下垂直に剪断する方法を採用しており、切れ長さが供給する長さを上回っている必要があるため、重複して切断される部分に刃跡が生じてしまうほか、供給を１ステップ送りから２ステップ送りに切り替える時には重複して切断される長さがさらに大きくなり、１・２ステップでバリが発生してしまう。本出願者は上述した従来技術における欠点に対して、空調用フィン金型縦切り切断装置及びその切断方法を提供し、空調用フィン金型の縦切り切断方法に対する変革を行うべく、回転刃構造による縦切りを提案且つ設計するが、それは上下円形の縦切り刃が回転剪断することで、縦切りの刃跡及びステップ切り替え時のバリ発生を完全に無くすことができるというものである。
【考案の概要】
【考案が解決しようとする課題】
【０００３】
従来の切断方法では、剪断長さが刃跡やステップ切り替え時のバリに大きな影響を及ぼすが、実際の操作において剪断長さを適切な長さに調節することは難しく、刃跡やステップ切り替え時のバリを無くすことは困難である。さらに、刃跡やステップ切り替え時のバリの存在はフィンの外観に影響するだけでなく、フィンの生産効率により重大な影響を及ぼし、労力や時間の浪費を招いてしまう。
【課題を解決するための手段】
【０００４】
本考案が採用する技術方案は以下の通りである。
【０００５】
空調用フィン金型縦切り切断装置であって、それには固定台板が含まれ、前記固定台板の上部には縦方向に主動軸部分及び従動軸部分が平行に装着され、主動軸部分及び従動軸部分には同じ構造が用いられている。主動軸部分の主動軸上には切刃及びスペーサーが装着され、且つその両端それぞれに主動軸固定ブロックが装着されており、従動軸部分の従動軸上にも同様に切刃及びスペーサーが装着され、且つその両端それぞれに従動軸固定ブロックが装着されており、主動軸固定ブロック及び従動軸固定ブロックの両側の位置には締め具によって側板が装着され、２枚の側板の頂部には上端板が装着され、上端板の中央部分には２つの調節ねじが設けられている。前記主動軸固定ブロック及び従動軸固定ブロック上のどちらにもばね穴が分布しており、主動軸固定ブロックと従動軸固定ブロックとの間の位置にはスペーサープレートが装着される。主動軸部分と従動軸部分との間の位置には支持板が装着され、前記支持板は支柱によって固定台板上に固定される。
【０００６】
上述の技術方案のさらなる改善として。
【０００７】
前記主動軸部分の構造には、主動軸が含まれ、前記主動軸の両端それぞれには主動軸固定ブロックが装着され、前記主動軸の両端どちらにも第一軸受及び軸受ブラケットが固定されており、第一軸受及び軸受ブラケットは主動軸固定ブロックのカウンターボア内に固定され、カウンターボア底部と軸受の外側は密着しており、主動軸固定ブロックは固定台板上にピン及びねじで締結され、主動軸上にはスペーサー及び切刃が間隔をあけて配列されており、前記主動軸の両端は第一ストッパー、第二ストッパー及びテンションブロックによって固定され、第一ストッパー、第二ストッパーは主動軸上に完全に固定されており、テンションブロックは可動部材であり、前記テンションブロックの表面全ては４つのねじ穴を有しており、前記ねじ穴内には強力な４本の外六角ボルトが螺着され、その頭部が第一ストッパーの片側を支持するようになっており、ねじ部分はテンションブロックのねじ穴内に螺入される。
【０００８】
前記従動軸部分の構造には、従動軸が含まれ、前記従動軸の両端それぞれには従動軸固定ブロックが装着され、前記従動軸の両端どちらにも第一軸受及び軸受ブラケットが固定されており、第一軸受及び軸受ブラケットは従動軸固定ブロックのカウンターボア内に固定され、カウンターボア底部と軸受の外側は密着しており、従動軸上にはスペーサー及び切刃が間隔をあけて配列されており、前記従動軸の両端は第一ストッパー、第二ストッパー及びテンションブロックによって固定され、第一ストッパー、第二ストッパーは従動軸上に完全に固定されており、テンションブロックは可動部材であり、前記テンションブロックの表面全ては４つのねじ穴を有しており、前記ねじ穴内には強力な４本の外六角ボルトが螺着され、その頭部が第一ストッパーの片側を支持するようになっており、ねじ部分はテンションブロックのねじ穴内に螺入される。
【０００９】
片側に位置する側板及び固定台板上には歯車板が装着され、前記歯車板の上下には間隔をあけて２本の歯車軸が装着され、前記歯車軸上にはそれぞれ第一中間歯車及び第二中間歯車が装着されており、前記主動軸の片側には主動歯車がキーによって装着され、従動軸の片側には従動輪がキーによって装着される。
【００１０】
第一中間歯車及び第二中間歯車はどちらも第二軸受によって歯車軸上に装着される。
【００１１】
前記切刃の構造には、円柱構造体が含まれ、前記円柱構造体の両端にはテーパ構造の刃が対称に装着され、且つ切刃の中央部には貫通孔が開けられている。
【００１２】
支持板の断面は構造がコ字状を成しており、支持板の頂面の位置には長円形孔が切刃と対応するように間隔をあけて設けられている。
【考案の効果】
【００１３】
本考案の効果は以下の通りである。
【００１４】
本考案は、コンパクトで合理的な構造になっており、回転剪断の方法を用いて材料板を切断することで剪断長さと送り長さが一致し、従来技術における刃跡及びステップ切り替え時のバリを完全に無くすことが可能であり、フィン製品の外観を改善し、フィンの不良率を低減させて、フィンの生産効率を向上させることができる。
【図面の簡単な説明】
【００１５】
【図１】本考案の構造概略図である。
【図２】本考案を別の角度から見た構造概略図である。
【図３】本考案の正面図である。
【図４】本考案の主動軸部分の平面図である。
【図５】本考案の主動軸部分の構造概略図である。
【図６】本考案の従動軸部分の構造概略図である。
【図７】本考案の歯車ユニットの構造概略図である。
【図８】本考案の回転刃の正面図である。
【図９】本考案の支持板の構造概略図である。
【考案を実施するための形態】
【００１６】
以下、本考案の実施の形態を図に基づいて説明する。
【００１７】
（実施例）
図１、図２及び図３が示すように、本考案の空調用フィン金型縦切り切断装置には、固定台板１０９が含まれ、固定台板１０９の上部には縦方向に主動軸部分及び従動軸部分が平行に装着され、主動軸部分及び従動軸部分には同じ構造が用いられている。主動軸部分の主動軸１０６上には切刃１０２及びスペーサー１０１が装着され、且つその両端それぞれに主動軸固定ブロック１１０が装着されており、従動軸部分の従動軸２０１上にも同様に切刃１０２及びスペーサー１０１が装着され、且つその両端それぞれに従動軸固定ブロック２０２が装着されており、主動軸固定ブロック１１０及び従動軸固定ブロック２０２の両側の位置には締め具によって側板１１１が装着され、２枚の側板１１１の頂部には上端板２０３が装着され、上端板２０３の中央部分には２つの調節ねじ５０３が設けられている。主動軸固定ブロック１１０及び従動軸固定ブロック２０２上のどちらにもばね穴が分布しており、主動軸固定ブロック１１０と従動軸固定ブロック２０２との間の位置にはスペーサープレート１０８が装着される。主動軸部分と従動軸部分との間の位置には支持板３０１が装着され、支持板３０１は支柱３０２によって固定台板１０９上に固定される。
【００１８】
図４及び図５が示すように、主動軸部分の構造には、主動軸１０６が含まれ、主動軸１０６の両端それぞれには主動軸固定ブロック１１０が装着され、主動軸１０６の両端どちらにも第一軸受５０１及び軸受ブラケット１０７が固定されており、第一軸受５０１及び軸受ブラケット１０７は主動軸固定ブロック１１０のカウンターボア内に固定され、カウンターボア底部と軸受の外側は密着しており、主動軸１０６が左右へ移動することが防止される。主動軸固定ブロック１１０は固定台板１０９上にピン及びねじで締結され、主動軸１０６上にはスペーサー１０１及び切刃１０２が間隔をあけて配列されており、主動軸１０６の両端は第一ストッパー１０３、第二ストッパー１０４及びテンションブロック１０５によって固定され、第一ストッパー１０３、第二ストッパー１０４は主動軸１０６上に完全に固定されており、テンションブロック１０５は可動部材であり、テンションブロック１０５の表面全ては４つのねじ穴を有しており、ねじ穴内には強力な４本の外六角ボルトが螺着され、その頭部が第一ストッパー１０３の片側を支持するようになっており、ねじ部分はテンションブロック１０５のねじ穴内に螺入される。ボルトを回転させることでテンションブロック１０５を水平方向に微調整し、間隔をあけて配列された切刃１０２及びスペーサー１０１を圧着させることができる。
【００１９】
図６が示すように、従動軸部分の構造には、従動軸２０１が含まれ、従動軸２０１の両端それぞれには従動軸固定ブロック２０２が装着され、従動軸２０１の両端どちらにも第一軸受５０１及び軸受ブラケット１０７が固定されており、第一軸受５０１及び軸受ブラケット１０７は従動軸固定ブロック２０２のカウンターボア内に固定され、カウンターボア底部と軸受の外側は密着しており、従動軸２０１上にはスペーサー１０１及び切刃１０２が間隔をあけて配列されており、従動軸２０１の両端は第一ストッパー１０３、第二ストッパー１０４及びテンションブロック１０５によって固定され、第一ストッパー１０３、第二ストッパー１０４は従動軸２０１上に完全に固定されており、テンションブロック１０５は可動部材であり、テンションブロック１０５の表面全ては４つのねじ穴を有しており、ねじ穴内には強力な４本の外六角ボルトが螺着され、その頭部が第一ストッパー１０３の片側を支持するようになっており、ねじ部分はテンションブロック１０５のねじ穴内に螺入される。
【００２０】
図２が示すように、片側に位置する側板１１１及び固定台板１０９上には歯車板４０１が装着され、歯車板４０１の上下には間隔をあけて２本の歯車軸４０２が装着され、歯車軸４０２上にはそれぞれ第一中間歯車９１６及び第二中間歯車９１７が装着されており、主動軸１０６の片側には主動歯車９１４がキー９１５によって装着され、従動軸２０１の片側には従動輪がキー９１５によって装着される。
【００２１】
歯車部分の側板１１１及び固定台板１０９の側辺にもねじ穴加工が施されて、歯車板４０１の固定に用いられ、歯車板４０１上には２組の歯車ユニットが固定されており、それには歯車軸４０２、第一中間歯車９１６、第二中間歯車９１７及び第二軸受５０２が含まれる。主動歯車９１４はそれぞれ第一中間歯車９１６と互いに接触しており、主動歯車９１４及び従動輪は互いに接触しない。第一中間歯車９１６・第二中間歯車９１７間は互いに接触しなければならない。
【００２２】
図７が示すように、第一中間歯車９１６及び第二中間歯車９１７はどちらも第二軸受５０２によって歯車軸４０２上に装着される。
【００２３】
図８が示すように、切刃１０２の構造としては、円柱構造体１１２が含まれ、円柱構造体１１２の両端にはテーパ構造の刃１１３が対称に装着され、且つ切刃１０２の中央部には貫通孔が開けられている。
【００２４】
図９が示すように、支持板３０１の構造は断面がコ字状を成しており、支持板３０１の頂面の位置には長円形孔３０３が切刃１０２と対応するように間隔をあけて設けられている。
【００２５】
本実施例の空調用フィン金型縦切り切断装置の切断方法では、調節ねじ５０３を緩めると、ばねの作用下で従動軸部分が上昇し、上下回転刃が分離されるので、材料板を従動軸部分及び主動軸部分の間から通し、作動時には、調節ねじ５０３を締めて、従動軸固定ブロック２０２とスペーサープレート１０８とを密着させ、材料送り機構が送りベルトを引いて前進させるときに、上下回転刃どちらにも回転が生じ、回転による剪断力を利用して材料板が切断される。
【００２６】
本考案が述べる回転刃子金型構造は、主に主動軸部分及び従動軸部分の２つの部分に分けることができる。
【００２７】
回転刃子金型全体は固定台板１０９上のピン穴及びねじ穴によって金型の下型板と互いに固定されており、主動軸部分と従動軸部分との間は第一側板１１１によって相対的な位置が保証されており、側板１１１はねじ及びピンによって主動軸固定ブロック１１０の両側に固定されており、同時に従動軸固定ブロック２０２及び主動軸固定ブロック１１０上のどちらにもばね穴が分布しており、従動軸部分は穴内に置かれたばねによって垂直方向に上下運動することができ、側板１１１はガイド作用を果たすことができ、上端板２０３によって従動軸部分の位置を調節することができる。
【００２８】
その原理は以下の通りである。上端板２０３が両側のねじ穴及びピン穴によって両側の側板１１１に固定されて閉じられ、その表面にはＭ８のねじ穴及び皿頭ねじ穴が開けられており、そのねじ穴を通じて、Ｍ８の調節ねじ５０３が従動軸固定ブロック２０２に押し当てられて力が加わり、それによって従動軸部分をその可動範囲内の任意の位置に固定させることができる。従動軸固定ブロック２０２と主動軸固定ブロック１１０との間にはスペーサープレート１０８があり、それは上下回転刃の切込み深さを制御する作用を果たす。主動軸及び従動軸の２つの部分の間には、さらに支持板３０１があり、支柱３０２によって固定台板１０９上に固定され、それは材料を支持する作用を果たす。
【００２９】
本考案の動作原理は以下の通りである。
【００３０】
最初に材料を供給するとき、調節ねじ５０３を緩めると、ばねの作用下で従動軸部分が上昇し、上下回転刃が分離されるので、送りベルトがスムーズに通過できるようになる。作動時には、調節ねじ５０３を締めて、従動軸固定ブロック２０２とスペーサープレート１０８とを密着させ、材料送り装置が送りベルトを引いて前進させるときに、上下回転刃どちらにも回転が生じ、回転による剪断力を利用して材料板が切断されるが、この種の方法は剪断長さが完全に材料の送り長さで決まるため、旧構造における刃跡及びステップ切り替え時のバリを完全に無くすことが可能である。
【００３１】
この種の回転切断構造の動力源は金型のサイズ及び材料送り装置の数量の大小に基づいて２種類に分かれる。１つは、材料送り装置の数量が十分である場合、その動力は完全に材料送り装置によって提供することができるため、歯車板４０１、歯車軸４０２、第二軸受５０２、主動歯車９１４、キー９１５、第一中間歯車９１６及び第二中間歯車９１７の部品を取り付ける必要がない。もう１つは、材料送り装置の数量が少ない場合、材料送り装置だけに頼って引っ張るならフィン孔に変形が生じる恐れがあるため、別に補助モーターを設置する必要があり、モーターの運転状態は材料送りと同期させなければならず、モーターと主動軸１０６を互いに連結し、主動歯車９１４を介して、第一中間歯車９１６及び第二中間歯車９１７が従動軸２０１を連動させて同期運転する。
【符号の説明】
【００３２】
１０１  スペーサー
１０２  切刃
１０３  第一ストッパー
１０４  第二ストッパー
１０５  テンションブロック
１０６  主動軸
１０７  軸受ブラケット
１０８  スペーサープレート
１０９  固定台板
１１０  主動軸固定ブロック
１１１  側板
１１２  円柱構造体
１１３  刃
２０１  従動軸
２０２  従動軸固定ブロック
２０３  上端板
３０１  支持板
３０２  支柱
３０３  長円形孔
４０１  歯車板
４０２  歯車軸
５０１  第一軸受
５０２  第二軸受
５０３  調節ねじ
９１４  主動歯車
９１５  キー
９１６  第一中間歯車
９１７  第二中間歯車
【手続補正２】
【補正対象書類名】実用新案登録請求の範囲
【補正対象項目名】全文
【補正方法】変更
【補正の内容】
【実用新案登録請求の範囲】
【請求項１】
空調用フィン金型縦切り切断装置であって、それには固定台板（１０９）が含まれ、前記固定台板（１０９）の上部には縦方向に主動軸部分及び従動軸部分が平行に装着され、主動軸部分及び従動軸部分には同じ構造が用いられており；主動軸部分の主動軸（１０６）上には切刃（１０２）及びスペーサー（１０１）が装着され、且つその両端それぞれに主動軸固定ブロック（１１０）が装着されており、従動軸部分の従動軸（２０１）上にも同様に切刃（１０２）及びスペーサー（１０１）が装着され、且つその両端それぞれに従動軸固定ブロック（２０２）が装着されており、主動軸固定ブロック（１１０）及び従動軸固定ブロック（２０２）の両側の位置には締め具によって側板（１１１）が装着され、２枚の側板（１１１）の頂部には上端板（２０３）が装着され、上端板（２０３）の中央部分には２つの調節ねじ（５０３）が設けられており；前記主動軸固定ブロック（１１０）及び従動軸固定ブロック（２０２）上のどちらにもばね穴が分布しており、主動軸固定ブロック（１１０）と従動軸固定ブロック（２０２）との間の位置にはスペーサープレート（１０８）が装着され；主動軸部分と従動軸部分との間の位置には支持板（３０１）が装着され、前記支持板（３０１）は支柱（３０２）によって固定台板（１０９）上に固定されることを特徴とする、空調用フィン金型縦切り切断装置。
【請求項２】
前記主動軸部分の構造には、主動軸（１０６）が含まれ、前記主動軸（１０６）の両端それぞれには主動軸固定ブロック（１１０）が装着され、前記主動軸（１０６）の両端どちらにも第一軸受（５０１）及び軸受ブラケット（１０７）が固定されており、第一軸受（５０１）及び軸受ブラケット（１０７）は主動軸固定ブロック（１１０）のカウンターボア内に固定され、カウンターボア底部と軸受の外側は密着しており、主動軸固定ブロック（１１０）は固定台板（１０９）上にピン及びねじで締結され、主動軸（１０６）上にはスペーサー（１０１）及び切刃（１０２）が間隔をあけて配列されており、前記主動軸（１０６）の両端は第一ストッパー（１０３）、第二ストッパー（１０４）及びテンションブロック（１０５）によって固定され、第一ストッパー（１０３）、第二ストッパー（１０４）は主動軸（１０６）上に完全に固定されており、テンションブロック（１０５）は可動部材であり、前記テンションブロック（１０５）の表面全ては４つのねじ穴を有しており、前記ねじ穴内には強力な４本の外六角ボルトが螺着され、その頭部が第一ストッパー（１０３）の片側を支持するようになっており、ねじ部分はテンションブロック（１０５）のねじ穴内に螺入されることを特徴とする、請求項１に記載の空調用フィン金型縦切り切断装置。
【請求項３】
前記従動軸部分の構造には、従動軸（２０１）が含まれ、前記従動軸（２０１）の両端それぞれには従動軸固定ブロック（２０２）が装着され、前記従動軸（２０１）の両端どちらにも第一軸受（５０１）及び軸受ブラケット（１０７）が固定されており、第一軸受（５０１）及び軸受ブラケット（１０７）は従動軸固定ブロック（２０２）のカウンターボア内に固定され、カウンターボア底部と軸受の外側は密着しており、従動軸（２０１）上にはスペーサー（１０１）及び切刃（１０２）が間隔をあけて配列されており、前記従動軸（２０１）の両端は第一ストッパー（１０３）、第二ストッパー（１０４）及びテンションブロック（１０５）によって固定され、第一ストッパー（１０３）、第二ストッパー（１０４）は従動軸（２０１）上に完全に固定されており、テンションブロック（１０５）は可動部材であり、前記テンションブロック（１０５）の表面全ては４つのねじ穴を有しており、前記ねじ穴内には強力な４本の外六角ボルトが螺着され、その頭部が第一ストッパー（１０３）の片側を支持するようになっており、ねじ部分はテンションブロック（１０５）のねじ穴内に螺入されることを特徴とする、請求項１に記載の空調用フィン金型縦切り切断装置。
【請求項４】
片側に位置する側板（１１１）及び前記固定台板（１０９）上には歯車板（４０１）が装着され、前記歯車板（４０１）の上下には間隔をあけて２本の歯車軸（４０２）が装着され、前記歯車軸（４０２）上にはそれぞれ第一中間歯車（９１６）及び第二中間歯車（９１７）が装着されており、前記主動軸（１０６）の片側には主動歯車（９１４）がキー（９１５）によって装着され、従動軸（２０１）の片側には従動輪がキー（９１５）によって装着されることを特徴とする、請求項１に記載の空調用フィン金型縦切り切断装置。
【請求項５】
第一中間歯車（９１６）及び第二中間歯車（９１７）はどちらも第二軸受（５０２）によって歯車軸（４０２）上に装着されることを特徴とする、請求項４に記載の空調用フィン金型縦切り切断装置。
【請求項６】
前記切刃（１０２）の構造には、円柱構造体（１１２）が含まれ、前記円柱構造体（１１２）の両端にはテーパ構造の刃（１１３）が対称に装着され、且つ切刃（１０２）の中央部には貫通孔が開けられていることを特徴とする、請求項１に記載の空調用フィン金型縦切り切断装置。
【請求項７】
支持板（３０１）の断面は構造がコ字状を成しており、支持板（３０１）の頂面の位置には長円形孔（３０３）が切刃（１０２）と対応するように間隔をあけて設けられていることを特徴とする、請求項１に記載の空調用フィン金型縦切り切断装置。